(57)【特許請求の範囲】
【請求項１】
棒状のハンドル部および前記ハンドル部の一端に設けられた植毛ヘッド部を有する本体と、前記植毛ヘッド部に植毛された複数のブリッスルとを含み、
前記ブリッスルが、所定数の該ブリッスルを略円柱状に束ねてなる複数個のブラシ毛束をなし、前記ブラシ毛束が、前記ハンドル部の長手方向に沿って、且つ当該長手方向に直交する横幅方向に互いに整合するように２列に整列し、且つ前記横幅方向に互いに整合する２列のブラシ毛束の毛束先端が互いに近付く方向に傾斜して植毛され、
前記横幅方向に互いに整合する２列のブラシ毛束の毛束先端側が、前記ブリッスルの弾性変形のもとに互いに押し付けられた状態にあって、横幅方向の横断面で見て、毛束先端に向かうほど横幅が小さくなる楔形をなすように互いに寄り添い、且つ前記毛束先端の集合体が平面視で前記長手方向に細長い扁平形状をなす歯周ポケット清掃用ブラシ。
【請求項２】
前記ブリッスルは、毛径が０．１５ｍｍ〜０．２ｍｍのナイロン製のものであり、前記ブラシ毛束の前記植毛ヘッド部に対する植毛部における毛束外径が１ｍｍ〜２ｍｍ、前記ブラシ毛束の毛束丈が９ｍｍ〜１１ｍｍである請求項１に記載の歯周ポケット清掃用ブラシ。
【請求項３】
前記ブラシ毛束の前記長手方向の植毛ピッチが２ｍｍ〜４ｍｍ、前記横幅方向の植毛ピッチが１．５ｍｍ〜３ｍｍである請求項２に記載の歯周ポケット清掃用ブラシ。
【請求項４】
前記ブラシ毛束の各列の個数が４である請求項３に記載の歯周ポケット清掃用ブラシ。
【請求項５】
前記ブラシ毛束は先端が尖ったテーパ付きのブリッスルを含んでいる請求項１から４の何れか一項に記載の歯周ポケット清掃用ブラシ。
【発明の詳細な説明】
【技術分野】
【０００１】
本発明は歯周ポケット清掃用ブラシに関する。
【背景技術】
【０００２】
従来から知られている歯ブラシとしては、複数のブリッスル（フィラメント）を略円柱状に束ねたブラシ毛束の配列が１列のもの（例えば、特許文献１）、ブラシ毛束の配列が２列のもの（例えば、特許文献２）、ブラシ毛束の配列が２列で、各列のブラシ毛束の毛束先端が互い近付く方向に傾斜して植毛されもの（例えば、特許文献２）、毛丈が異なったブラシ毛束の配置によってブラシ毛束群をハンドル（柄）の長手方向に山形にしたもの（例えば、特許文献１、３）、単一のブラシ毛束の先端形状を円錐状にしたもの（例えば、特許文献４）、毛先がテーパ加工されたブリッスル（フィラメント）を用いたもの（例えば、特許文献１）等がある。
【先行技術文献】
【特許文献】
【０００３】
【特許文献１】特開２００７−２０２６０６号公報
【特許文献２】特開２００４−１１３６１４号公報
【特許文献３】登録実用新案第３１４３２３９号公報
【特許文献４】特開２０１４−２１００６６号公報
【発明の概要】
【発明が解決しようとする課題】
【０００４】
歯と歯肉との間にできる歯周ポケットの清掃を行うことは、歯周病の予防・治療に重要なことである。歯周ポケットの清掃を行うブラシは、ブラシ毛束が歯周ポケットに進入し易いこと、歯周ポケット内の歯垢、歯石を接触圧（刷掃圧）によって掻き出すためにブラシ毛束が適度の腰の強さ（曲げ剛性）を有していること、歯周ポケット内の歯垢、歯石を能率よく掻き出すため歯周ポケットに進入するブリッスルの本数が多いことが好ましい。
【０００５】
ブラシ毛束の配列が１列のものは、多列のものに比してブラシ毛束が歯周ポケットに進入し易いが、ブラシ毛束に適度の腰の強さを与えることが難しく、歯周ポケットに進入するブリッスルの本数を多くすることも難しい。ブラシ毛束群をハンドルの長手方向に山形にしたものや、ブラシ毛束が単一のものも、歯周ポケットに進入するブリッスルの本数を多くすることも難しい。
【０００６】
ブラシ毛束の配列が２列のものは、一列のものより歯周ポケットに進入するブリッスルの本数を多くすることができるが、２列合計の横幅が一列のものより大きくなるから、一列のものに比してブラシ毛束が歯周ポケットに進入し難くなる。ブラシ毛束の配列が２列のもので、各列のブラシ毛束の毛束先端が互い近付く方向に傾斜して植毛されたものは、傾斜していなものに比してブラシ毛束が歯周ポケットに進入し好くなるが、ブラシ毛束は毛束先端側においても略円柱状のままであるので、ブラシ毛束が歯周ポケットに進入し難い。ブラシ毛束の配列が１列のものでも、２列のものでも、ブラシ毛束の束径を小さくすると、ブラシ毛束が歯周ポケットに進入し易くなるが、一つのブラシ毛束のブリッスルの本数が少なくなると共に、ブラシ毛束に適度の腰の強さを与えることが難しくなる。
【０００７】
このように、歯周ポケットの清掃を行うブラシとして好適なものが存在しない。
【０００８】
本発明が解決しようとする課題は、歯周ポケットの清掃を行うブラシとして好適なものを提供することである。
【課題を解決するための手段】
【０００９】
本発明による歯周ポケット清掃用ブラシは、棒状のハンドル部（１４）および前記ハンドル部（１４）の一端に設けられた植毛ヘッド部（１６）を有する本体（１２）と、前記植毛ヘッド部（１６）に植毛された複数個のブラシ毛束（２２）とを含み、ブラシ毛束（２２）は、複数のブリッスル（２０）を略円柱状に束ねたものを前記植毛ヘッド部（１６）に植毛したのであり、前記ハンドル部（１４）の長手方向と同方向に２列に複数個整列し、且つ各列のブラシ毛束（２２）の毛束先端が前記長手方向に直交する横幅方向の中央側に互いに近付く方向に傾斜して植毛され、２列のブラシ毛束（２２）が毛束先端側において互いに押し付けられていることにより、平面視で扁平に変形している。
【００１０】
この構成によれば、２列のブラシ毛束（２２）が毛束先端側において互いに押し付けられて扁平な柱状に変形しているから、２列のブラシ毛束が毛束先端側において単に隣接しているだけの場合に比して、２列のブラシ毛束（２２）の毛束先端側の横幅が小さく、ブリッスル（２０）の本数が多くてもブラシ毛束（２２）が歯周ポケット（Ｐ）に進入し易く、しかも歯周ポケット（Ｐ）内の歯垢、歯石を接触圧によって掻き出すために好適な腰の強さを得ることができ、歯周ポケット（Ｐ）の清掃を好適に行うことができる。
【００１１】
本発明による歯周ポケット清掃用ブラシは、好ましくは、前記ブリッスル（２０）は、毛径が０．１５ｍｍ〜０．２ｍｍのナイロン製のものであり、前記ブラシ毛束（２２）の前記植毛ヘッド部（１６）に対する植毛部における毛束外径が１ｍｍ〜２ｍｍ、前記ブラシ毛束の毛束丈が９ｍｍ〜１１ｍｍである。
【００１２】
この構成によれば、ブリッスル（２０）の本数を少なくすることなく、歯周ポケット（Ｐ）の清掃に適した腰の強さを得ることができる。
【００１３】
本発明による歯周ポケット清掃用ブラシは、好ましくは、前記ブラシ毛束（２２）の前記長手方向の植毛ピッチが２ｍｍ〜４ｍｍ、前記横幅方向の植毛ピッチが１．５ｍｍ〜３ｍｍである。
【００１４】
この構成によれば、歯周ポケット（Ｐ）の清掃において、適度な植毛密度が得られ、歯周ポケット（Ｐ）の清掃が効率よく行われる。
【００１５】
本発明による歯周ポケット清掃用ブラシは、好ましくは、前記ブラシ毛束（２２）の各列の個数が４である。
【００１６】
この構成によれば、嵩張ることなく、中段の合計４個のブラシ毛束（２２）を歯周ポケット（Ｐ）に進入させ、前後端のブラシ毛束（２２）は清掃対象の一つの歯の歯周ポケット（Ｐ）に隣り合う歯の外面に摺接することにより、前後端のブラシ毛束（２２）は、中段のブラシ毛束（２２）が歯周ポケット（Ｐ）に正しく進入した状態を保つ方向に、歯周ポケット清掃用ブラシ（１０）が往復動することを案内する作用をする。これにより、中段の合計４個のブラシ毛束（２２）による歯周ポケット（Ｐ）の清掃が良好に行われる。
【００１７】
本発明による歯周ポケット清掃用ブラシは、好ましくは、前記ブラシ毛束（２２）は先端が尖ったテーパ付きのブリッスル（２０）を含んでいる。
【００１８】
この構成によれば、ブリッスル（２０）が歯周ポケット（Ｐ）の奧まで入り易く、歯周ポケット（Ｐ）の清掃が良好に行われる。
【発明の効果】
【００１９】
本発明による歯周ポケット清掃用ブラシによれば、２列のブラシ毛束の毛束先端側の横幅が小さく、ブリッスルの本数が多くてもブラシ毛束が歯周ポケットに進入し易く、しかも歯周ポケット内の歯垢、歯石を接触圧によって掻き出すために好適な腰の強さを得ることができるから、歯周ポケットの清掃を好適に行うことができる。
【図面の簡単な説明】
【００２０】
【図１】本発明による歯周ポケット清掃用ブラシの一つの実施形態を示す平面図
【図２】本実施形態による歯周ポケット清掃用ブラシの側面図
【図３】（Ａ）は図２の線III−IIIに沿った拡大断面図、（Ｂ）は図３（Ａ）の線Ｂ−Ｂによる断面図、（Ｃ）は図３（Ａ）の線Ｃ−Ｃによる断面図
【図４】ブラシ毛束が植毛されていない状態での図２の線III−IIIに沿った拡大断面図
【図５】本発明による歯周ポケット清掃用ブラシの植毛ヘッド部のブラシ毛束が植毛されていない状態での拡大平面図
【図６】本発明による歯周ポケット清掃用ブラシの使用例を示す説明図
【発明を実施するための形態】
【００２１】
以下に、本発明による歯周ポケット清掃用ブラシの実施形態を、図１〜図６を参照して説明する。
【００２２】
歯周ポケット清掃用ブラシ１０は、図１および図２に示されているように、本体１２を有する。本体１２は、ハンドル部（柄部）１４およびハンドル部１４の一端に設けられた植毛ヘッド部（植毛台部）１６を有し、全体をポリエステル樹脂等によって一体成形されている。本体１２の全長は１６００ｍｍ程度であって植毛ヘッド部１６には複数のブラシ毛束２２が植毛されている。
【００２３】
ハンドル部１４は、軸長（長手方向寸法）が１２００ｍｍ程度の細長い帯板状（扁平な棒状）をしており、全長に亘って矩形の横断面形状を有する。ハンドル部１４は、横幅Ｗａが１０ｍｍ〜１２ｍｍ、厚さＴａが４ｍｍ〜６ｍｍ程度であってよい。ハンドル部１４は、横幅Ｗａが１０ｍｍ未満であっても、横幅Ｗａが１２ｍｍを超えて大きくても、また、厚さＴａが４ｍｍ未満であっても、厚さＴａが６ｍｍを超えて大きくても、ハンドル部１４を手にて掴み難く、ブラシ毛束２２が歯周ポケットＰ（図７）に進入する方向に向かせる操作が行い難くなる。この観点から、ハンドル部１４の横幅Ｗａは１１ｍｍ、厚さＴａは５ｍｍであることが、より好ましい。
【００２４】
植毛ヘッド部１６はハンドル部１４と同方向に長い矩形の板状をしている。植毛ヘッド部１６は、横幅Ｗｂが５ｍｍ〜７ｍｍ、厚さＴｂがハンドル部１４と同じ４ｍｍ〜６ｍｍ程度であってよい。植毛ヘッド部１６は、横幅Ｗｂが５ｍｍ未満であると、ブラシ毛束２２の必要な植毛領域が得られず、横幅Ｗｂが７ｍｍを超えて大きいと、嵩張りによって植毛ヘッド部１６およびブラシ毛束２２が口腔内における歯周ポケットＰの清掃に適した部位に位置し難くなる。植毛ヘッド部１６は、厚さＴｂが４ｍｍ未満であると、必要な強度をもってブラシ毛束２２の植毛が行われることが難しくなり、厚さＴｂが５ｍｍを超えて大きいと、嵩張りによって植毛ヘッド部１６およびブラシ毛束２２が口腔内における歯周ポケットＰの清掃に適した部位に位置し難くなる。これらの観点から植毛ヘッド部１６の横幅Ｗｂは６ｍｍ、厚さＴａは５ｍｍであることが、より好ましい。
【００２５】
植毛ヘッド部１６には、図３〜図５に示されているように、一方の面（植毛面）１６Ａに開口した有底円形の植毛孔１８が形成されている。植毛孔１８は植毛ヘッド部１６の長手方向と同方向に２列に４個整列して形成されている。なお、植毛ヘッド部１６の長手方向とハンドル部１４の長手方向とは同じ方向である。
【００２６】
各植毛孔１８には、図３に示されているように、合成樹脂製の複数のブリッスル２０を略円柱状（図３（Ｂ）参照）に束ねてなるブラシ毛束２２が植毛されている。ブリッスル２０は、毛径が０．１２５ｍｍ〜０．２ｍｍ（５ｍｉｌ〜８ｍｉｌ）程度のナイロン製のものであることが好ましい。ブリッスル２０は、ナイロン製である場合、毛径が０．１５ｍｍ未満であると、ブラシ毛束２２において歯周ポケットＰの清掃に適した腰の強さ（曲げ剛性）を得ることが難しくなり、毛径が０．２ｍｍを超えて大きいと、ブラシ毛束２２において腰の強さが強くなりすぎ、歯肉に与える刺激が大きくなってブラッシングの不快感が増す。このような観点から、ブリッスル２０の毛径は０．１５３ｍｍ〜０．１７８ｍｍであることが、より好ましい。
【００２７】
ブラシ毛束２２の植毛ヘッド部１６に対する植毛部における毛束外径Ｄ（植毛孔１８の内径に略等しい基本外径）が１ｍｍ〜２ｍｍ程度、ブラシ毛束２２の毛束丈Ｈが９ｍｍ〜１１ｍｍ程度であることが好ましい。ブラシ毛束２２の毛束外径Ｄが１ｍｍ未満であると、一つのブラシ毛束２２におけるブリッスル２０の本数が少なく、歯周ポケットＰの清掃に適した腰の強さを得ることが難しくなると共に、歯周ポケットＰの清掃効率が低減する。ブラシ毛束２２の毛束外径Ｄが２ｍｍを超えて大きいと、一つのブラシ毛束２２におけるブリッスル２０の本数が過剰になり、腰の強さが強くなりすぎると共に、ブラシ毛束２２が歯周ポケットＰに進入し難くなる。ブラシ毛束２２の毛束丈Ｈが９ｍｍ未満であると、腰の強さが強くなりすぎると共にブラシ毛束２２が歯周ポケットＰの所要の深さまで進入し難くなり、毛束丈Ｈが１１ｍｍを超えて大きいと、歯周ポケットＰの清掃に適した腰の強さを得ることが難しくなると共に、嵩張りによってブラシ毛束２２が口腔内における歯周ポケットＰの清掃に適した部位に位置し難くなる。このような観点から、ブラシ毛束２２の毛束外径Ｄは１．３ｍｍ、毛束丈Ｈは１０ｍｍであることが、より好ましい。ブラシ毛束２２の毛束外径Ｄが１．３ｍｍ、ブリッスル２０の毛径が０．１７８ｍｍである場合、一つのブラシ毛束２２のブリッスル数は５６になる。
【００２８】
ブラシ毛束２２の長手方向（植毛ヘッド部１６の長手方向）の植毛ピッチＰａ（図５参照）は２ｍｍ〜４ｍｍ程度、ブラシ毛束２２の横幅方向（植毛ヘッド部１６の横幅方向）の植毛ピッチＰｂ（図５参照）が１．５ｍｍ〜３ｍｍであることが好ましい。植毛ピッチＰａが２ｍｍ未満であると、植毛密度が過多になり、ブラシ毛束２２が歯周ポケットＰに進入し難くなる。植毛ピッチＰａが４ｍｍを超えて大きいと、植毛密度が過小になり、歯周ポケットＰの清掃効率が低下する。また同様に、植毛ピッチＰｂが１．５ｍｍ未満であると、植毛密度が過多になり、ブラシ毛束２２が歯周ポケットＰに進入し難くなる。植毛ピッチＰｂが３ｍｍを超えて大きいと、植毛密度が過小になり、歯周ポケットＰの清掃効率が低下する。このような観点から、植毛ピッチＰａは２．７ｍｍ、植毛ピッチＰｂは１．５ｍｍであることが、より好ましい。
【００２９】
毛束外径Ｄ＝１．３ｍｍ、植毛ピッチＰａ＝２．７ｍｍ、植毛ピッチＰｂ＝２．０ｍｍとすると、植毛ヘッド部１６における植毛領域の長手方向寸法Ｌａ（図５参照）は９.７ｍｍ、同横幅寸法Ｗｃ（図５参照）は３．３ｍｍになる。なお、植毛ヘッド部１６の横幅方向は、植毛面１６Ａ上において植毛ヘッド部１６の長手方向に直交する方向であり、ハンドル部１４の横幅方向と同じ方向である。
【００３０】
植毛孔１８の中心軸線Ａは、図４に示されているように、植毛面１６Ａを直角に貫通する軸線Ｂに対して植毛ヘッド部１６の横幅方向の中央側に倒れるように傾斜角θをもって傾斜している。これにより、ブラシ毛束２２は、図３に示されているように、各列のブラシ毛束２２の毛束先端が植毛ヘッド部１６の横幅方向の中央側に互い近付く方向に傾斜角θをもって傾斜して植毛されることになり、両列のブラシ毛束２２が毛束先端側において、各ブリッスル２０の弾性変形（曲げ変形）のもとに、植毛ヘッド部１６の横幅方向に互いに押し付けられている。これにより、両列のブラシ毛束２２は、毛束先端側では、図３（Ｃ）に示されているように、平面視で、植毛ヘッド部１６の長手方向に長い扁平な柱状に変形し、互いに寄り添うにして植毛ヘッド部１６の横幅方向にも長手方向にも互いに結合し、しかも両列のブラシ毛束２２の少なくとも一部のブリッスル２０の先端側が互いに交差し合い（混じり合い）、植毛ヘッド部１６の長手方向に長い一列になっている。そして両列のブラシ毛束２２の毛束先端側に形成される結合部２４は、図３（Ａ）に示されているように、横幅方向の横断面で見て、毛束先端側に向かうほど横幅が小さくなる楔形をなしている。
【００３１】
図６は、歯周ポケット清掃用ブラシ１０を使用したインプラント歯の歯周ポケットＰの清掃状態を示している。図６において、Ｆは歯槽骨、Ｇは歯肉、Ｈは人工歯根（インプラント体）、Ｊは支台部、Ｋは人工歯を各々示している。
【００３２】
歯周ポケット清掃用ブラシ１０を使用して歯周ポケットＰの清掃を行う操作は、箸を掴むように、あるいはペンを握るように、手にてハンドル部１４を握り、片肘（歯周ポケット清掃用ブラシ１０を掴んでいる側の腕の肘）を付いた姿勢で、親指と人差し指によって、図６に示されているように、結合部２４が歯周ポケットＰに進入する方向に向くように操作し、植毛ヘッド部１６の長手方向の４個のブラシ毛束２２のうち前後端を除く中段の合計４個のブラシ毛束２２による結合部２４、より詳細には結合部２４の長手方向（植毛ヘッド部１６の長手方向）の先端側あるいは手前側（踵側）を歯周ポケットＰの形態に沿って歯周ポケットＰ内に進入させ、歯周ポケット清掃用ブラシ１０をハンドル長手方向の小さいストロークによって往復動（振動）させる。歯周ポケットＰに対するブラシ毛束２２の進入深さは、毛束先端が歯周ポケットＰの溝底に到達する深さであることが好ましい。ブリッスル２０は、テーパ付きのブリッスルであるから、ブリッスル２０が歯周ポケットＰの奧まで入り易く、歯周ポケットＰの清掃が良好に行われる。
【００３３】
植毛ヘッド部１６における植毛領域の長手方向寸法Ｌａが９.７ｍｍである場合、歯周ポケットＰに進入する中段の合計４個のブラシ毛束２２の長手方向寸法Ｌｂは４ｍｍ程度になる。ヒトの各歯の歯周ポケットＰは歯の根元幅と略等しい８ｍｍ〜１０ｍｍであるから、Ｌｂ＝４ｍｍである場合、４ｍｍ〜６ｍｍのストロークで歯周ポケット清掃用ブラシ１０をハンドル長手方向の往復動させることにより、歯周ポケットＰの全域に亘ってブラッシングが行われ、歯周ポケットＰ内の全域に亘って歯垢、歯石の除去が行われる。
【００３４】
このブラッシングにおいて、前後端のブラシ毛束２２は清掃対象の一つの歯の歯周ポケットＰに隣り合う歯の外面に摺接する。これにより、前後端のブラシ毛束２２は、中段のブラシ毛束２２が歯周ポケットＰに正しく進入した状態を保つ方向に、歯周ポケット清掃用ブラシ１０が往復動することを案内する。このことにより、中段の合計４個のブラシ毛束２２による歯周ポケットＰの清掃が良好に行われる。
【００３５】
２列のブラシ毛束２２は、毛束先端側において、植毛ヘッド部１６の長手方向に長いに扁平な柱状に変形し、互いに寄り添うにして植毛ヘッド部１６の横幅方向にも長手方向に互いに結合し、植毛ヘッド部１６の長手方向に長い一列になっているから、２列のブラシ毛束の毛束先端側において単に隣接しているだけの場合に比して、ブリッスル２０の本数が同じであっても結合部２４の横幅が小さく、ブラシ毛束２２が歯周ポケットＰに進入し易い。しかも、結合部２４は、横幅方向の横断面で見て、毛束先端側に向かうほど横幅が小さくなる楔形をなしているから、結合部２４が歯周ポケットＰに進入し易い。
【００３６】
更には、歯周ポケットＰへの進入が２列のブラシ毛束２２の集合体である結合部２４である場合には、歯周ポケットＰに進入するブリッスル２０の本数が、ブラシ毛束が一列のものに比して多い。これらのことにより、歯周ポケットＰ内の歯垢、歯石を能率よく掻き出すことができる。
【００３７】
更には、２列のブラシ毛束２２は、毛束先端側、つまり結合部２４においては、弾性変形して互いに寄り添うようにして接触しているから、ブリッスル２０が細くても、歯周ポケットＰに進入する結合部２４は、歯周ポケットＰ内の歯垢、歯石を接触圧によって掻き出すために好適な腰の強さを得ることができる。これにより、必要な腰の強さが得られた上で、同一の毛束外径Ｄにおいてブリッスル２０の個々の小径化によって歯周ポケットＰに進入するブリッスル２０の本数が増加する。このことによっても、歯周ポケットＰに進入するブリッスル２０の本数が増加するから、歯周ポケットＰ内の歯垢、歯石を能率よく掻き出すことができる。
【００３８】
以上、本発明を、その好適な実施形態について説明したが、当業者であれば容易に理解で
きるように、本発明はこのような実施形態により限定されるものではなく、本発明の趣旨を逸脱しない範囲で適宜変更可能である。
【００３９】
例えば、全てのブリッスル２０は、テーパ付きのブリッスルによって構成されていても、あるいは各ブラシ毛束２２の一部あるいは歯周ポケットＰに進入する中段のブラシ毛束２２のみがテーパ付きのブリッスルによって構成されていてもよい。また、歯周ポケットＰに進入し易いように、中段のブラシ毛束２２の毛束丈Ｈが他のブラシ毛束２２の毛束丈Ｈより長くてもよい。歯周ポケットＰに進入し易い結合部２４を得るために、ブラシ毛束２２は２列であることは必須あるが、植毛ヘッド部１６の長手方向の個数は、３個あるいは５個以上であってもよく、植毛ピッチＰａに応じて最適個数が設定されればよい。歯周ポケット清掃用ブラシ１０は、インプラント歯の歯周ポケットＰの清掃に限られることはなく、天然歯の歯周ポケットの清掃も良好に行うことができる。
【００４０】
また、上記実施形態に示した構成要素は必ずしも全てが必須なものではなく、本発明の趣旨を逸脱しない限りにおいて適宜取捨選択することが可能である。
【符号の説明】
【００４１】
１０    歯周ポケット清掃用ブラシ
１２    本体
１４    ハンドル部
１６    植毛ヘッド部
１６Ａ  植毛面
１８    植毛孔
２０    ブリッスル
２２    ブラシ毛束
２４    結合部
【要約】
【課題】歯周ポケットの清掃を行うブラシとして好適なものを提供すること。
【解決手段】ブラシ毛束２２は、複数のブリッスル２０を略円柱状に束ねたものを植毛ヘッド部１６に植毛したものであり、ハンドル部１４の長手方向と同方向に２列に複数個整列し、且つ各列のブラシ毛束２２の毛束先端が前記長手方向に直交する横幅方向の中央側に互い近付く方向に傾斜して植毛され、２列のブラシ毛束２２が毛束先端側において互いに押し付けられていることにより、扁平な柱状に変形している。
【選択図】図３【図１】
0005898362.tif 000002
【図２】
0005898362.tif 000003
【図３】
0005898362.tif 000004
【図４】
0005898362.tif 000005
【図５】
0005898362.tif 000006
【図６】
0005898362.tif 000007